(57)【要約】【課題】  メカ動作しない静止画撮影開始タイミングをユーザが触覚で認識できる撮像装置を提供すること。【解決手段】  以下を含む構成とした。A)ユーザの操作に対して振動でフィードバックをかける手段(111)B)メカ動作しない静止画撮影動作開始時にA)でフィードバックをかける(S104)C)上記B)の振動フィードバックは露光開始までに停止する(S109)D)フィードバックの最短時間をカメラが保持している(501)E)撮影準備時間がD)より短い場合はフィードバック時間を確保するために露光開始を遅らせる(図1、図3)【選択図】  図１
2019191435.tif 000002
【特許請求の範囲】
【請求項１】
以下を構成要素とする撮像装置
A)ユーザの操作に対して振動でフィードバックをかける手段(111)
B)メカ動作しない静止画撮影動作開始時にA)でフィードバックをかける(S104)
C)上記B)の振動フィードバックは露光開始までに停止する(S109)
D)フィードバックの最短時間をカメラが保持している(501)
E)撮影準備時間がD)より短い場合はフィードバック時間を確保するために露光開始を遅らせる(図1、図3)
【請求項２】
請求項1に記載の構成要素に以下の構成要素を追加したもの
ア）静止画撮影動作開始から露光開始が遅れたときは、遅れた時間分長い時間振動フィードバックさせる(図4)
【請求項３】
請求項1に記載の構成要素に以下の構成要素を追加したもの
イ）撮影開始時の振動フィードバックの最低時間をユーザが設定可能
(501、図7のS720-S721)
【発明の詳細な説明】
【技術分野】
【０００１】
本発明は、電子スチルカメラ等の撮像装置に関し、特にユーザの操作に対して振動でフィードバックをかける機能を有する撮像装置の制御方法に関する。
【背景技術】
【０００２】
近年のカメラには、メカ動作しないで撮影動作する機能が存在する。一例として、タイムラプス動画機能は撮影した静止画をつなぎ合わせて動画を生成する機能であるが、撮影時にメカ動作させない仕様にしているカメラもある。
【０００３】
撮影時にメカ動作させない仕様にすると、メカ駆動部品の耐久による故障を抑制できるが、撮影時にメカ動作の振動がユーザの手に伝わらないため、撮影開始タイミングを触覚で認識できないデメリットがある。
【０００４】
上記を解消する手段として撮影開始タイミングの情報を視覚的に出力する場合、情報提示領域をユーザが注視していないと認識できない。そこで、小型デバイス向け、特に手持ち型デバイス向けの情報提示方法として、触覚的に情報を提示することが広く知られている。例えば、多くの携帯電話は、振動によって着信等の情報を提示する。また、特許文献１では「振動子、ボイスコイル、小型ピンアレイ」などのデバイスを用いてユーザの触覚を刺激する例が提示されている。このような手段を用いて撮影開始タイミングでユーザの触覚を刺激させれば、撮影開始タイミングを触覚で認識することが可能となる。
【先行技術文献】
【特許文献】
【０００５】
【特許文献１】特許第5302610号
【発明の概要】
【発明が解決しようとする課題】
【０００６】
撮影開始タイミングをユーザに触覚で認識させる際、触覚を刺激するデバイス駆動が露光中に動作すると画像に影響がある場合は、露光とデバイス駆動を排他する必要がある。また、デバイスによっては駆動時間が短すぎるとユーザが認識できないため、デバイス駆動の最短時間を確保する必要がある。しかしながら、上述の特許文献に開示された従来技術では、これらの課題について具体的な対応方法が提示されていない。
【０００７】
そこで本発明の目的は、上記の課題を解消し、「メカ動作しない静止画撮影開始タイミングをユーザが触覚で認識できる撮像装置を提供すること」である。
【課題を解決するための手段】
【０００８】
上記目的を達成するために、本発明の撮像装置は、以下を構成要素とすることを特徴とする。
A)ユーザの操作に対して振動でフィードバックをかける手段(111)
B)メカ動作しない静止画撮影動作開始時にA)でフィードバックをかける(S104)
C)上記B)の振動フィードバックは露光開始までに停止する(S109)
D)フィードバックの最短時間をカメラが保持している(501)
E)撮影準備時間がD)より短い場合はフィードバック時間を確保するために露光開始を遅らせる(図1、図3)
【発明の効果】
【０００９】
本発明によれば「メカ動作しない静止画撮影開始タイミングをユーザが触覚で認識できる撮像装置」を提供することができる。
【図面の簡単な説明】
【００１０】
【図１】「メカ動作しない静止画撮影開始タイミング」を振動でユーザに通知する流れを示したフローチャート
【図２】メモリ102のデータリスト
【図３】撮影準備が短い場合の振動フィードバック時間を示すタイミングチャート
【図４】撮影準備が長い場合の振動フィードバック時間を示すタイミングチャート
【図５】システム構成図
【図６】振動モータ111の構造
【図７】図1に「撮影開始時の振動フィードバックの最低時間をユーザが設定可能」にするフローを追加したフローチャート
【図８】撮影開始時の振動フィードバックの最低時間を設定する画面
【発明を実施するための形態】
【００１１】
以下に、本発明の好ましい実施の形態を、添付の図面に基づいて詳細に説明する。
【００１２】
［実施例１］
図5は、本実施形態に係る撮像装置の概略構成図である。本実施形態に係る撮像装置は、カメラ本体100と、カメラ本体100に着脱可能なレンズユニット200を含む。まず、カメラ本体100の構成について説明する。マイクロコンピュータCPU(以下、カメラマイコン)101は、カメラ本体100の各部を制御する。メモリ102は、カメラマイコン101に接続されているRAMやROM等のメモリである。
【００１３】
シャッター104は、レンズユニット200を介して入射した光束から撮像素子105を遮光する遮光状態、及び、レンズユニット200を介して入射した光束を撮像素子105に導く退避状態となるように走行する。
【００１４】
撮像素子105は、赤外カットフィルタやローパスフィルタ等を含むCCD、CMOS等の撮像素子であり、レンズユニット200を介して入射した光束を光電変換して画像信号を出力する。なお、本実施例の撮像素子105は、シャッター104を用いずに自身で露光時間を任意に制御する機能を備える。
【００１５】
ディスプレイ109は、カメラ本体100の各種情報を表示する表示装置である。操作部110は、ユーザがカメラ本体100に撮影開始要求を出すためのレリーズボタンや、ユーザがカメラ本体100の各種設定を行うための設定ボタンなどを含む。レンズユニット200は被写体の光学像を撮像面に形成する撮影光学系である。
【００１６】
振動モータ111はカメラ本体100を振動させるためのアクチュエータで、図6が詳細な構造である。直流モータ601は直流電圧を印加すると分銅602を回転させる。分銅602は重心が直流モータ601のシャフト中央から偏っているため、回転すると振動が発生する。この振動がユーザの触覚に刺激を与える。本実施例では撮影開始をユーザに通知するために用いる。
【００１７】
次に、カメラマイコン101が「メカ動作しない静止画撮影開始タイミングを振動モータ111を駆動させることでユーザに通知する流れ」について、図1のフローチャートを用いて説明する。
【００１８】
S101
カメラが起動するとカメラマイコン101はシャッター104を退避状態にする。そのあとライブビューを開始し、撮像素子105に結像した画をディスプレイ109に表示する。
【００１９】
S102
測光・測距動作を行う。測光・測距動作は操作部110の操作をきっかけに開始する構成でもよい。
【００２０】
S103
操作部110のレリーズ釦がONされていれば「撮影開始要求あり」と判断してS104に遷移する。そうでなければS102に戻る。
【００２１】
S104
振動モータ111を駆動させることで振動フィードバックを開始する。この動作によって、ユーザは撮影開始タイミングを触覚で認識できる。
【００２２】
S105
時刻をメモリ102に記憶する。メモリ102のデータリストを図2に示している。S105の時刻は振動フィードバック開始時刻Tstart502として記憶する。
【００２３】
S106
撮影準備を開始する。具体的にはライブビュー動作させている撮像素子105を露光可能な状態に遷移させる。本実施例はメカ動作させない静止画撮影について説明しているので、シャッター104は撮影動作中でも退避状態のまま動作させない。
【００２４】
S107
上記S106の撮影準備が完了するまで待つ。
【００２５】
S108
上記S105で記憶した振動フィードバック開始時刻Tstart502から振動フィードバック保障時間Tfeedback501以上経過するまで待つ。振動フィードバック保障時間Tfeedback501は撮影開始時に振動モータ111を駆動させる最低時間で、図2に示すようにメモリ102に記憶されている。また、振動フィードバック保障時間Tfeedback501はユーザが振動を認識するのに充分な時間が設定されている。例えば100[ms]の固定値として設定されている。
【００２６】
S109
振動モータ111の駆動を終了させることで振動フィードバックを停止する。
【００２７】
S110
撮像素子105を駆動させて静止画を露光する。
【００２８】
続いて、図1のフローチャートで制御した時の振動フィードバック時間の例を図3と図4を用いて説明する。
【００２９】
図3は「撮影準備の時間が振動フィードバック保障時間Tfeedback501より短い場合の振動フィードバック時間を示した図」である。図示しているように、露光開始時には振動フィードバックが停止していることが保障されるため、振動フィードバックが画像に影響しないことが保障される。また、「振動フィードバック保障時間Tfeedback501」の時間以上振動することが保障されるため、ユーザが振動を認識するために必要な時間を確保できる。
【００３０】
図4は撮影準備の時間が振動フィードバック保障時間Tfeedback501より長い場合の振動フィードバック時間を示した図である。図示しているように撮影準備の期間中、振動フィードバックが継続される。この動作により、ユーザは撮影準備開始から露光までの時間が伸びた場合に、振動フィードバック時間が伸びたことを触覚で認識できる。
【００３１】
［実施例２］
実施例２は、実施例１に対して「撮影開始時の振動フィードバックの最低時間をユーザが設定するフロー」を追加した撮像装置について説明する。
【００３２】
本実施形態に係る撮像装置の概略構成は実施例１と同じく図5の構成になっている。
また、メモリ102のデータリストは図2の構成に、振動モータ111の構造は図6の構成になっている。これらについては実施例１と同じなので説明を省略する。
【００３３】
ここで、カメラマイコン101の動作について図7のフローチャートを用いて説明する。図7は、図1と比較して点線の矩形で囲まれたS720-S721のフローが追加されている。以下では追加されたS720-S721のフローについて説明する。それ以外のS701-S710のフローは図1のS101-S110と同じフローなので、説明を省略する。
【００３４】
S720
操作部110の操作によって「ユーザが振動フィードバック 保障時間Tfeedback の変更要求を出した」とカメラマイコン101が判断したらS721に遷移する。そうでなければS703に遷移する。ユーザが振動フィードバック 保障時間Tfeedback の変更要求を出すための方法として、カメラマイコン101はディスプレイ109に図8の設定画面を表示し、ユーザは操作部110で標準801、長い802のどちらかを選択する。
【００３５】
S721
上記S720でユーザが選択した時間を図2の「振動フィードバック 保障時間Tfeedback501」に記憶する。図8の801を選択された場合は50[ms]を、802を選択された場合は100[ms]が記憶される。
【００３６】
上記のS720-S721のフローで設定された「振動フィードバック 保障時間Tfeedback501」がS708の待ち時間に反映される。そのため、撮影開始時の振動フィードバックの最低時間をユーザが設定することが可能となる。
【００３７】
以上の仕組みにより、例えば「短い振動フィードバック時間では認識できないユーザ」は、振動フィードバックの最低時間を長く設定することで認識しやすくできる。
【００３８】
以上、本発明の好ましい実施形態について説明したが、本発明はこれらの実施形態に限定されず、その要旨の範囲内で種々の変形及び変更が可能である。
【００３９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４０】
１００  カメラ本体
１０１  マイクロコンピュータCPU
１０２  メモリ
１０４  シャッター
１０５  撮像素子
１０９  ディスプレイ
１１０  操作部
１１１  振動モータ
２００  レンズユニット
【図１】
2019191435.tif 000003
【図２】
2019191435.tif 000004
【図３】
2019191435.tif 000005
【図４】
2019191435.tif 000006
【図５】
2019191435.tif 000007
【図６】
2019191435.tif 000008
【図７】
2019191435.tif 000009
【図８】
2019191435.tif 000010